(57)【要約】【課題】構成部品の選定作業を合理化することにより、発注者及び受注者の作業工数を大幅に削減するとともに、常備された標準部品を用いることで安価に且つ速やかに対応できる発注支援システムを提供する。【解決手段】サーバー２は、構成部品を加工する際に必要とされる加工代の長さを記憶した加工代データベース１５と、構成部品に関する複数の標準寸法を記憶した標準寸法データベース１６とを備える。そして、発注側端末装置から、必要とされる構成部品の種類及びその設計寸法が入力されると、必要とされる加工代の長さを抽出するとともに、その長さを設計寸法に加えて必要寸法を算出する。また、その寸法を、記憶された複数の標準寸法と照合させ、必要寸法に一致する標準寸法、または必要寸法よりも大きく且つ必要寸法に近似した標準寸法を、構成部品を出荷する際の寸法とする。【選択図】        図２
2005122627.tif 000002
【特許請求の範囲】
【請求項１】
加工される構成部品を、発注側端末装置から通信ネットワークを介してサーバーに発注することが可能な発注支援システムであって、
前記サーバーは、
前記構成部品を加工する際に必要とされる加工代の長さを予め記憶した加工代記憶手段と、
前記構成部品に関する複数の標準寸法を予め記憶した標準寸法記憶手段と、
前記発注側端末装置から前記通信ネットワークを介して、設計寸法を含む設計情報が入力されると、必要とされる加工代の長さを前記加工代記憶手段から抽出するとともに、該加工代の長さを設計寸法に加えて必要寸法を算出する必要寸法算出手段と、
該必要寸法算出手段によって算出された必要寸法を、前記標準寸法記憶手段に記憶された複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段と
を具備することを特徴とする受発注支援システム。
【請求項２】
階段等の住宅構成物を構築するために必要とされる個々の構成部品を、発注側端末装置から通信ネットワークを介してサーバーに発注することが可能な発注支援システムであって、
前記サーバーは、
前記構成部品を加工する際に必要とされる加工代の長さを、前記各構成部品の種類に対応させて記憶した加工代記憶手段と、
前記構成部品に関する複数の標準寸法を、前記構成部品の種類に対応させて記憶した標準寸法記憶手段と、
前記発注側端末装置から前記通信ネットワークを介して、必要とされる構成部品の種類及びその設計寸法を含む設計情報が入力されると、該構成部品の種類に対して必要とされる加工代の長さを、前記加工代記憶手段から抽出するとともに、該加工代の長さを設計寸法に加えて必要寸法を算出する必要寸法算出手段と、
該必要寸法算出手段によって算出された必要寸法を、前記標準寸法記憶手段に記憶された同構成部品に関する複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段と
を具備することを特徴とする発注支援システム。
【請求項３】
前記サーバーは、
前記住宅構成物の各部における寸法の法的許容範囲を記憶する許容範囲記憶手段と、
前記発注側端末装置から設計情報が入力されると、該設計情報に含まれる設計寸法を、前記許容範囲記憶手段に記憶された法的許容範囲と比較し、設計寸法が法的許容範囲に含まれない場合、安全性を損なう旨の情報を前記発注側端末装置に送信する通知手段と
をさらに備えることを特徴とする請求項２に記載の発注支援システム。
【請求項４】
加工される構成部品を、発注側端末装置から通信ネットワークを介してサーバーに発注することが可能な発注支援システムにおいて使用される発注支援プログラムであって、
前記構成部品を加工する際に必要とされる加工代の長さを予め記憶した加工代記憶手段、
前記構成部品に関する複数の標準寸法を予め記憶した標準寸法記憶手段、
前記発注側端末装置から前記通信ネットワークを介して、設計寸法を含む設計情報が入力されると、必要とされる加工代の長さを前記加工代記憶手段から抽出するとともに、該加工代の長さを設計寸法に加えて必要寸法を算出する必要寸法算出手段、
及び、該必要寸法算出手段によって算出された必要寸法を、前記標準寸法記憶手段に記憶された複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段
として、前記サーバーを機能させることを特徴とする発注支援プログラム。
【請求項５】
階段等の住宅構成物を構築するために必要とされる個々の構成部品を、発注側端末装置から通信ネットワークを介してサーバーに発注することが可能な発注支援システムにおいて使用される発注支援プログラムであって、
前記構成部品を加工する際に必要とされる加工代の長さを、前記各構成部品の種類に対応させて記憶した加工代記憶手段、
前記構成部品に関する複数の標準寸法を、前記構成部品の種類に対応させて記憶した標準寸法記憶手段、
前記発注側端末装置から前記通信ネットワークを介して、必要とされる構成部品の種類及びその設計寸法を含む設計情報が入力されると、該構成部品の種類に対して必要とされる加工代の長さを、前記加工代記憶手段から抽出するとともに、該加工代の長さを設計寸法に加えて必要寸法を算出する必要寸法算出手段、
及び、該必要寸法算出手段によって算出された必要寸法を、前記標準寸法記憶手段に記憶された同構成部品に関する複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段
として、前記サーバーを機能させることを特徴とする発注支援プログラム。
【発明の詳細な説明】
【技術分野】
【０００１】
本発明は、発注支援システム、及び発注支援プログラムに関するものであり、特に、階段、玄関ユニット、またはバスユニット等の住宅構成物を構築するために必要とされる個々の構成部品を、通信ネットワークを介して発注することが可能な発注支援システム、及びそのシステムにかかるプログラムに関するものである。
【背景技術】
【０００２】
例えば、階段を構築するにあたって、その構築に必要とされる構成部品を揃える場合、まず、工務店等の発注者は、階段の形状を示す設計図面から、必要な構成部品の種類及びその構成部品の設計寸法を拾い出し、その後、現場施工において必要となる加工代を加味して構成部品の必要寸法を算出するようにしている。なお、一般に、受注者（例えばメーカー）が常備している標準部品の種類・仕様等は、カタログやガイドブックによって案内されているため、発注者は、カタログ等を参照し、算出した必要寸法を基に、製造者の標準部品（常備在庫品）の中から適切な大きさの構成部品、例えばその商品コードを指定するようにしている。
【０００３】
ところが、このように煩雑で面倒な作業を発注者に行わせると、発注者の負担が極めて大きくなる。特に、階段は、三次元の構造を取るとともに、毎日歩行衝撃が加わるため精密な組み立てが必要とされるものである。このため、複雑で且つ精度及び耐久力を要する構成部品の発注が必要となり、発注者の負担が一層大きくなっていた。この結果、受発注に伴う処理作業を円滑に進めることができなくなり、作業の合理化及び発注処理の簡素化が望まれていた。
【０００４】
そこで、発注者の負担を軽減するため、発注用紙を用いて発注処理が行われる場合もある。この発注用紙は、階段の階高、段数、踏み面の寸法、柱芯々の寸法、及び柱角の寸法等、設計寸法を含む設計情報を、予め決められた書式に基づいて記入するためのものである。これによれば、発注者は、発注用紙に必要な設計寸法等を記入し、その用紙をファクシミリ等で受注者（メーカー等）に送信するだけで発注を行うことが可能になる。つまり、構成部品を選定するにあたり、加工代を加味したり、カタログから適切な構成部品を指定したりすることなく、発注を行うことが可能になる。すなわち、発注者は、案内された構成部品にとらわれず、自由な形状または自由な寸法の構成部品を発注することが可能になる。
【０００５】
なお、上記の従来技術は、当業者にとって当然なされている一般的事項であり、出願人は、この従来技術を特定するに適した文献を、特に知見していない。
【発明の開示】
【発明が解決しようとする課題】
【０００６】
しかし、上記のような発注用紙を用いても、施工現場における加工代を加味し、設計寸法から必要寸法を算出する作業、及びカタログ等から適切な構成部品を選定する作業は、依然として必要であり、これらの作業が発注者から受注者に転嫁されたに過ぎなかった。すなわち、受注者の負担が従来よりも大きくなり、業界全体としては何ら合理化されたわけではなかった。
【０００７】
また、実際には、施工現場での事情等により設計図面における寸法（設計寸法）が変更されることも少なくないが、上記の方法によれば受注者側で構成部品が選定されることから、設計寸法の変更に対して構成部品を変更する必要があるか否かを、発注者側で判断することが困難となっていた。このため、受注者及び発注者間での、変更内容の調整に手間取り、速やかに対応することができなかった。
【０００８】
さらに、発注用紙による発注方法では、自由な寸法での発注が可能となることから、常備された標準部品では対応できず、納期が大幅に遅れたり、コストの増大をもたらすことがあった。特に、住宅構成物では、安全性を図るため、建築基準法等により各部の寸法が制限されているが、これらの制限を超えた寸法で構成部品の受発注が行われた場合には、発注のやり直しや商品（構成部品）の交換が必要となり、納期の遅れが助長されてしまう恐れもあった。
【０００９】
そこで、本発明は、上記の実情に鑑み、構成部品の選定作業を合理化することにより、発注者及び受注者の作業工数を大幅に削減するとともに、常備された標準部品を用いることで安価に且つ速やかに対応できる発注支援システム、及びプログラムの提供を課題とするものである。
【課題を解決するための手段】
【００１０】
第一の発明にかかる発注支援システムは、加工される構成部品を、発注側端末装置から通信ネットワークを介してサーバーに発注することが可能な発注支援システムであって、前記サーバーは、前記構成部品を加工する際に必要とされる加工代の長さを予め記憶した加工代記憶手段と、前記構成部品に関する複数の標準寸法を予め記憶した標準寸法記憶手段と、前記発注側端末装置から前記通信ネットワークを介して、設計寸法を含む設計情報が入力されると、必要とされる加工代の長さを前記加工代記憶手段から抽出するとともに、該加工代の長さを設計寸法に加えて必要寸法を算出する必要寸法算出手段と、該必要寸法算出手段によって算出された必要寸法を、前記標準寸法記憶手段に記憶された複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段とを具備するものである。
【００１１】
ここで、「構成部品」とは、出荷された後に発注者等によって加工される被加工部品であり、例えば、施工現場において加工され構築される建材を挙げることができる。なお、本発明は、複数の構成部品を管理するシステムであってもよく、単一の構成部品のみ管理するシステムであってもよい。「標準寸法」とは、標準部品（在庫品）のサイズのことである。また、「設計寸法」とは、設計図面等から拾い出された、構成部品の係る寸法、すなわち、加工された後に構築される構成部品の寸法である。さらに「加工代」とは、構成部品を加工（例えば切断または切削）して構築する際に、加工上必要となる部位である。「必要寸法」とは、設計寸法に加工代の長さを加味して算出された構成部品の長さ、すなわち最小限必要となる長さである。また、「出荷する際の寸法」とは、発注者に出荷する構成部品の寸法である。
【００１２】
第一の発明によれば、サーバーは、発注側端末装置から設計情報が入力されると、まず、必要とされる加工代の長さ、すなわち構成部品を施工現場で加工するにあたり加工上必要となる長さを加工代記憶手段から抽出する。その後、設計情報に含まれる設計寸法に、抽出した加工代寸法を加え、構成部品の必要寸法を算出する。すなわち、構成部品に関して最小限必要となる寸法を認識する。次に、サーバーは、算出された必要寸法と、標準寸法記憶手段に記憶された複数の標準寸法とを夫々照合させ、複数の標準寸法の中に必要寸法と一致する寸法が含まれている場合はその標準寸法を選択し、一方、一致する寸法が含まれていない場合には、必要寸法よりも大きく且つ必要寸法に近似した標準寸法を選択する。すなわち、複数の標準寸法の中から、必要寸法を確保することができる最小の構成部品の寸法を抽出する。そして、この寸法を、構成部品を出荷する際の寸法として設定する。
【００１３】
このように、第一の発明によると、発注者が発注側端末装置において設計寸法を含む設計情報を入力すると、サーバーでは、加工寸法を加味して複数の標準寸法の中から適切なものを選択し、発注者に出荷する際の寸法を決定する。このため、発注者及び受注者による受発注作業が合理化され、速やかな発注処理が可能となる。また、標準寸法の構成部品、すなわち標準部品が出荷されるように誘導することから、適切な構成部品を安価に、且つ速やかに提供することが可能になる。
【００１４】
第二の発明にかかる発注支援システムは、階段等の住宅構成物を構築するために必要とされる個々の構成部品を、発注側端末装置から通信ネットワークを介してサーバーに発注することが可能な発注支援システムであって、前記サーバーは、前記構成部品を加工する際に必要とされる加工代の長さを、前記各構成部品の種類に対応させて記憶した加工代記憶手段と、前記構成部品に関する複数の標準寸法を、前記構成部品の種類に対応させて記憶した標準寸法記憶手段と、前記発注側端末装置から前記通信ネットワークを介して、必要とされる構成部品の種類及びその設計寸法を含む設計情報が入力されると、該構成部品の種類に対して必要とされる加工代の長さを、前記加工代記憶手段から抽出するとともに、該加工代の長さを設計寸法に加えて必要寸法を算出する必要寸法算出手段と、該必要寸法算出手段によって算出された必要寸法を、前記標準寸法記憶手段に記憶された同構成部品に関する複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段とを具備するものである。
【００１５】
ここで、「標準寸法」、「設計寸法」、「加工代」、及び「必要寸法」については、第一の発明と同様の表現として用いているため、ここでは詳細な説明を省略する。なお、「構成部品」とは、住宅構成物を構成する複数の部品であり、例えば階段を住宅構成物とした場合、構成部品には、側板、踏み板、踏込板、踏込板廻り、及び上段框等が含まれる。
【００１６】
第二の発明によれば、基本的には第一の発明と同様の作用を奏するが、この発明では、階段等の住宅構成物を構築するために必要とされる複数の構成部品を、一つのシステムで管理することが可能になる。すなわち、サーバーは、発注側端末装置から、必要とされる構成部品の種類及びその設計寸法を含む設計情報が入力されると、その構成部品の種類に対して必要とされる加工代の長さを加工代記憶手段から抽出することにより、必要寸法の算出を可能にする。また、算出された構成部品の種類に係る必要寸法を、標準寸法記憶手段に記憶された同一の種類に係る複数の標準寸法と照合させることにより、出荷寸法の設定を可能にする。
【００１７】
このように、複数の構成部品を一つのシステムで管理することにより、複数の構成部品の中から、任意の構成部品、あるいは二以上の構成部品を発注することが可能になり、住宅構成物を構築する際の利便性を向上させることができる。
【００１８】
ところで、第二の発明の発注支援システムにおいて、「前記サーバーは、前記住宅構成物の各部における寸法の法的許容範囲を記憶する許容範囲記憶手段と、前記発注側端末装置から設計情報が入力されると、該設計情報に含まれる設計寸法を、前記許容範囲記憶手段に記憶された法的許容範囲と比較し、設計寸法が法的許容範囲に含まれない場合、安全性を損なう旨の情報を前記発注側端末装置に送信する通知手段とをさらに備える」構成とすることができる。
【００１９】
ここで、「法的許容範囲」とは、建築基準法等の法律により規制される寸法の範囲である。
【００２０】
この構成を採用すると、サーバーは、発注側端末装置から設計情報が入力された際、その設計情報に含まれる設計寸法、すなわち設計図面から拾い出された寸法を、予め記憶された法的許容範囲と比較する。そして、設計寸法が法的許容範囲に含まれる場合には、安全性を維持できる寸法であることから、上記のように必要寸法を算出するとともに、出荷の際の寸法を設定する。すなわち構成部品の出荷を可能にする。一方、設計寸法が法的許容範囲に含まれない場合には、安全性が確保されない寸法であることから、必要寸法を算出することなく、「安全性を損なう旨」の情報を発注側端末装置に送信する。
【００２１】
一般に、住宅構造物には、安全性の側面から様々な規制が存在するが、本発明では、設計寸法を直接入力させるため、その設計寸法から安全性の良否を判定することが可能になる。すなわち、発注される構成部品を、安全性の優れた構成部品へと誘導し、「安全性の向上」という付加的な効果を生じさせることができる。
【００２２】
ところで、上記第一の発明、及び第二の発明は、サーバーにおいて使用されるプログラムとして実現することもできる。すなわち、「加工される構成部品を、発注側端末装置から通信ネットワークを介してサーバーに発注することが可能な発注支援システムにおいて使用される発注支援プログラムであって、前記構成部品を加工する際に必要とされる加工代の長さを予め記憶した加工代記憶手段、前記構成部品に関する複数の標準寸法を予め記憶した標準寸法記憶手段、前記発注側端末装置から前記通信ネットワークを介して、設計寸法を含む設計情報が入力されると、必要とされる加工代の長さを前記加工代記憶手段から抽出するとともに、該加工代の長さを設計寸法に加えて必要寸法を算出する必要寸法算出手段、及び、該必要寸法算出手段によって算出された必要寸法を、前記標準寸法記憶手段に記憶された複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段として、前記サーバーを機能させる」ものである。
【００２３】
また、「階段等の住宅構成物を構築するために必要とされる個々の構成部品を、発注側端末装置から通信ネットワークを介してサーバーに発注することが可能な発注支援システムにおいて使用される発注支援プログラムであって、前記構成部品を加工する際に必要とされる加工代の長さを、前記各構成部品の種類に対応させて記憶した加工代記憶手段、前記構成部品に関する複数の標準寸法を、前記構成部品の種類に対応させて記憶した標準寸法記憶手段、前記発注側端末装置から前記通信ネットワークを介して、必要とされる構成部品の種類及びその設計寸法を含む設計情報が入力されると、該構成部品の種類に対して必要とされる加工代の長さを、前記加工代記憶手段から抽出するとともに、該加工代の長さを設計寸法に加えて必要寸法を算出する必要寸法算出手段、及び、該必要寸法算出手段によって算出された必要寸法を、前記標準寸法記憶手段に記憶された同構成部品に関する複数の標準寸法と照合させ、必要寸法に一致する標準寸法、または必要寸法よりも大きく且つ必要寸法に近似した標準寸法を抽出し、該標準寸法を、前記構成部品を出荷する際の寸法とする出荷寸法設定手段として、前記サーバーを機能させる」ものである。
【００２４】
これらのプログラムによれば、サーバーにおいて実行させることにより、発注者が発注側端末装置において設計寸法を含む設計情報を入力した場合、加工寸法を加味して複数の標準寸法の中から適切なものを選択し、発注者に出荷する際の寸法を設定することが可能になる。このため、発注者及び受注者による受発注作業が合理化され、速やかな発注処理が可能となる。なお、具体的な処理については、請求項１及び請求項２の作用と同様であるため、ここでは詳細な説明を省略する。
【発明の効果】
【００２５】
このように、本発明の発注支援システムは、構成部品の選定作業が合理化され、速やかな発注処理が可能となるとともに、発注者及び受注者の作業工数を大幅に短縮することができる。また、常備された標準部品の中から最も適切な部品が選択されるため、必要な構成部品を安価に且つ速やかに出荷することが可能になる。
【発明を実施するための最良の形態】
【００２６】
以下、本発明の一実施形態である発注支援システム１について、図１乃至図４に基づき説明する。図１は発注支援システム１全体の構成を示す説明図であり、図２は発注支援システム１におけるサーバー２の機能的構成を示すブロック図であり、図３は発注支援システム１における発注側端末装置４の機能的構成を示すブロック図であり、図４はサーバー２における処理の流れを示すフローチャートである。
【００２７】
本実施形態の発注支援システム１は、住宅構成物を構築するために必要とされる個々の構成部品を、ネットワーク３を介して発注することが可能なシステムである。なお、住宅構成物とは、住宅の一部を構成する集合部材のことであり、例えば、階段、キッチンユニット、玄関ユニット、収納ユニット、トイレユニット、及びバスユニット等を含めることができる。なお、本実施形態では、階段を住宅構成物とした場合について具体的に説明する。
【００２８】
発注支援システム１は、図１に示すように、主な構成として、サーバー２と、このサーバー２にネットワーク３（インターネット等）を介して接続された複数の発注側端末装置４とを備えている。なお、サーバー２は受注者５によって管理され、発注側端末装置４は発注者６（建築業者や工務店）が利用可能な状態に設けられている。また、ネットワーク３には、メーカー７が使用する製造側端末装置８が接続されている。つまり、メーカー７では、製造側端末装置８によって受注内容を確認し、発注者６に住宅構成物の構成部品９を配送することを可能にしている。
【００２９】
サーバー２は、発注側端末装置４からの指示を、ネットワーク３を介して受信し、これらの指示に応じた処理を行うものである。ハード構成としては、汎用のコンピュータと同様、主記憶装置、演算装置、及び制御装置から構成されるＣＰＵ（中央処理装置）と、キーボードやポインティングデバイス等、情報を直接入力するための入力装置（図示しない）と、ハードディスク等から構成された記憶装置１１（図２参照）と、ルータ等を有しネットワーク３を介してデータの送受信を行う通信装置（図示しない）とを具備している。なお、通信装置は、図２に示すように、発注側端末装置４からデータを受信する受信手段１２、及び発注側端末装置４及び製造側端末装置８にデータを送信する送信手段１３を有する通信制御手段１４によって制御されるようになっている。
【００３０】
また、記憶装置１１には、加工代データベース１５、標準寸法データベース１６、許容範囲記憶部１７、及び発注情報記憶部１８等が格納されている。加工代データベース１５は、本発明の加工代記憶手段に相当し、夫々の構成部品９を施工現場で加工する際に必要とされる加工代の長さ、すなわち加工上必要となる長さを、各構成部品９の種類に対応させて予め記憶するものである。具体的に、階段の構成部品９の種類には、側板、踏み板、踏込板、踏込板廻り、及び上段框等が含まれ、夫々の構成部品９の種類に対して、「長さ」、「巾」、及び「厚さ」方向における加工代の長さが夫々設定されている。なお、構成部品９の中には、加工を必要としない部位を有するものも含まれており、この部位に対しては、加工代の長さを「０」（加工代なし）に設定している。
【００３１】
標準寸法データベース１６は、本発明の標準寸法記憶手段に相当し、構成部品９に関する複数の標準寸法、すなわち標準部品のサイズを、各構成部品９の種類に対応させて予め記憶するものである。具体的には、側板、踏み板、踏込板、踏込板廻り、及び上段框等の構成部品９に対して、「長さ」、「巾」、及び「厚さ」における寸法の組合せが、複数のパターンで設定されている。
【００３２】
許容範囲記憶部１７は、本発明の許容範囲記憶手段に相当し、階段の各部における寸法の法的許容範囲、すなわち建築基準法等の法律により制限される寸法の範囲を記憶するものである。具体的には、蹴上げ寸法、踏み板巾、及び廻り部材の寸法等に関し夫々許容範囲が設定されている。
【００３３】
発注情報記憶部１８は、発注側端末装置４において発注作業が行われた際、発注者６の住所や氏名、発注側端末装置４のアドレス、及び発注された構成部品９に関する情報等、受発注に関する情報を記憶するものである。なお、図示していないが、記憶装置１１には、上記のデータベースの他に、構成部品９に関する情報として、構成部品９の名称、品番、形状図面、及び価格等を記憶したデータベースと、常備された在庫の種類及び個数等を含む在庫情報、生産所要日数に関する生産確認情報、及び構成部品９を配送する際に必要となる運賃に関する運賃情報を記憶したデータベースとが格納されている。
【００３４】
ところで、このサーバー２のＣＰＵには、発注支援プログラムがインストールされており、このプログラムを実行させることにより、以下に示す機能的構成を有するものになる。
【００３５】
すなわち、図２に示すように、サーバー２は、部品認識手段１９、設計寸法認識手段２０、及び必要寸法算出手段２１を有している。部品認識手段１９は、発注側端末装置４において入力された構成部品９の種類が受信手段１２を介して受信されると、その種類を認識するものであり、設計寸法認識手段２０は、発注側端末装置４において入力された構成部品９の設計寸法、すなわち設計図面から拾い出された構成部品９の寸法が受信手段１２を介して受信されると、その寸法を認識するものである。
【００３６】
なお、構成部品９の種類及び設計寸法の入力方法としては、「側板」、「踏み板」、及び「踏込板」等のように、各構成部品９の種類を個々に指定し、夫々に対応する設計寸法を数値で入力することも可能であるが、本実施形態の発注支援システム１では、構成部品９の種類や設計寸法等の入力を容易にするため、住宅構成物（すなわち組物）としての指定を可能にしている。
【００３７】
詳細に説明すると、サーバー２は、階段に関する構成要素、すなわち「直階段の段数」、「廻り階段の段数」、「廻り方向」、「上部階段の有無」、及び「上部階段の段数」等の構成要素の組合せパターンと、階段の形状図面とを対応させて記憶しており、発注側端末装置４から構成要素の組合せ情報が入力されると、その組合せパターンに対応する形状図面を、記憶装置１１から抽出し、発注側端末装置４に送信する。続いて、発注側端末装置４から寸法情報、具体的には、「階段の階高」、「踏み面」、「柱角」、「柱芯々」、及び「鼻の出」等の寸法が入力されると、サーバー２の部品認識手段１９及び設計寸法認識手段２０は、その寸法の階段を構築することが可能な部品の種類を選択するとともに、その種類に対応する設計寸法を認識する。例えば、柱角の寸法が１０５ｍｍで、柱芯々の寸法が９１０ｍｍと入力された場合には、柱内々の寸法が８０５ｍｍとなり、設計寸法が８０５ｍｍの踏み板部材が必要であることを認識する。
【００３８】
一方、必要寸法算出手段２１は、部品認識手段１９及び設計寸法認識手段２０によって、構成部品９の種類及びその設計寸法が認識されると、夫々の構成部品９の種類に対して必要とされる加工代の長さを、加工代データベース１５から抽出する抽出手段２２を有しており、抽出された加工代の長さを設計寸法に加えることにより必要寸法を算出するものである。算出された必要寸法は、出荷寸法設定手段２３に出力される。
【００３９】
出荷寸法設定手段２３は、算出された必要寸法を、標準寸法データベース１６に記憶された同じ種類の構成部品９に関する複数の標準寸法と照合する照合手段２４を有している。そして、出荷寸法設定手段２３は、照合の結果、必要寸法に一致する標準寸法がある場合には、その標準寸法を、構成部品９を出荷する際の寸法として設定し、一方、必要寸法に一致する標準寸法がない場合には、必要寸法よりも大きく且つ必要寸法に近似した標準寸法を出荷の際の寸法として設定するものである。つまり、複数の標準寸法の中から、必要寸法を確保することができる最小の構成部品９の寸法を抽出し、その寸法を発注者６に発送する構成部品９の寸法とする。出荷寸法設定手段２３によって設定された出荷寸法は、送信手段１３を介して発注側端末装置４に送信されるとともに、発注情報記憶部１８に記憶される。
【００４０】
また、サーバー２のＣＰＵには、機能的構成として通知手段２５が備えられている。通知手段２５は、設計寸法認識手段２０によって認識された設計寸法を、許容範囲記憶部１７に記憶された法的許容範囲と比較し、設計寸法が許容範囲に含まれない場合、「安全性を損なう旨」の情報を発注側端末装置４に送信するものである。
【００４１】
さらに、サーバー２のＣＰＵには、機能的構成として発注認識手段２６及び発注情報出力手段２７が備えられている。発注認識手段２６は、出荷の際の寸法を送信した後、発注側端末装置４において発注指示が入力された場合、すなわち発注者６によって出荷寸法が確認され、それを基に発注を確定させる指示が入力された場合に、その情報を認識し発注情報出力手段２７に出力するものである。発注情報出力手段２７は、発注を確定させる情報が認識されると、発注情報記憶部１８に記憶された発注情報を読出すとともに、その発注情報を、送信手段１３を介して製造側端末装置８に送信するものである。  
【００４２】
一方、発注側端末装置４は、ブラウザソフトがインストールされた汎用のコンピュータであり、主記憶装置、演算装置、及び制御装置から構成されるＣＰＵ（中央処理装置）と、ネットワーク３を介して情報を送受信する通信装置とを備えている。なお、通信装置は、受信手段３０及び送信手段３１を有する通信制御手段３２によって制御される。また、発注側端末装置４には、キーボードやポインティングデバイス等の入力装置３３と、ディスプレイ３５を制御する表示制御手段３４とが設けられている。
【００４３】
さらに、発注側端末装置４には、機能的構成として、入力画面が表示された際に、入力装置３３を用いて、構成部品９の種類を入力または選択するための部品指示手段３６、構成部品９の設計寸法を入力するための設計寸法指示手段３７、及び発注の確定を指示するための発注指示手段３８が設けられている。なお、前述したように、構成部品９の種類及び設計寸法は、住宅構成物すなわち階段セットにおける設計情報として入力することも可能である。
【００４４】
次に、本実施形態の発注支援システム１の動作、特にサーバー２の処理（本発明の発注支援プログラムに相当）について、図４に基づき説明する。まず、サーバー２は、いずれかの発注側端末装置４からアクセスがあった場合（ステップＳ１においてＹＥＳ）、その発注側端末装置４において構成部品９の種類及び設計寸法の設計情報が入力されたか否かを判定する（ステップＳ２）。なお、階段セットとして入力された場合には、その設計情報から構成部品９の種類及び設計寸法を認識したか否かを判定する。
【００４５】
そして、これらの設計情報が入力または認識された場合（ステップＳ２においてＹＥＳ）、設計寸法が法的許容範囲に含まれるか否かを判定する。設計寸法が法的許容範囲に含まれない場合には（ステップＳ３においてＮＯ）、ステップＳ４の処理に移行し、発注側端末装置４に対して、「安全性を損なう旨」の通知を行う（ステップＳ４）。なお、その後は、ステップＳ２の処理に戻り、設計寸法が変更されるまで、ステップＳ２乃至ステップＳ４の処理を繰返す。
【００４６】
一方、ステップＳ３において、全ての設計寸法が法的許容範囲に含まれる場合には（ＹＥＳ）、構成部品９の種類に関する加工代の長さを、加工代データベース１５から抽出する（ステップＳ５）。その後、抽出された加工代を設計寸法に加えることにより必要寸法を算出する（ステップＳ６）。さらに算出された必要寸法と標準寸法データベース１６に記憶された複数の標準寸法とを照合し、適切な出荷寸法を設定する（ステップＳ７）。そして、設定された出荷寸法を発注側端末装置４に送信する（ステップＳ８）。これにより、発注者６は、加工代を加味した構成部品９の寸法を把握することが可能となる。また、この際、設定された出荷寸法を含む発注情報は発注情報記憶部１８に記憶される。
【００４７】
その後、発注を確定させる指示が、発注側端末装置４から送信されると（ステップＳ９においてＹＥＳ）、発注情報記憶部１８に記憶された発注情報を確定し、この情報を製造側端末装置８に送信する（ステップＳ１０）。これにより、メーカー７では、確定された発注情報を製造側端末装置８によって確認することが可能になる。
【００４８】
上記一連の作業により、発注者６から受注者５に構成部品９が発注され、メーカー７から発注者６に構成部品９を配送することが可能になる。なお、メーカー７自身が受注者５となってもよいことは言うまでもない。
【００４９】
このように、上記の発注支援システム１では、設計寸法を含む設計情報を入力するだけで、適切な構成部品９の寸法が設定されるため、構成部品９の選定作業が合理化され、速やかな発注処理が可能となるとともに、発注者６及び受注者５の作業工数を大幅に短縮することができる。特に、出荷の際の寸法を設定するにあたって、常備された標準部品の寸法、すなわち標準寸法の中から最も適切な寸法が選択されるため、必要な構成部品９を安価に且つ速やかに提供することが可能になる。すなわち、商品の集約化を図るシステムを構築することが可能になる。
【００５０】
また、上記の発注支援システム１では、表示された階段の形状図面に基づいて発注することができるため、発注内容が受注者５に正確に伝わり、受注者５の労力も低減できる。さらに、階段を構築するために必要な構成要素を、発注側端末装置４において認識することが可能になり、設計等に不慣れな発注者６であっても、間違いなく注文することができる。
【００５１】
さらに、上記の発注支援システム１では、施工現場での事情等により設計寸法が変更されることがあっても、設計情報を入力し直すだけでよいことから、変更内容の調整が容易となり、速やかに対応することが可能となる。
【００５２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５３】
すなわち、本実施形態の発注支援システム１では、発注側端末装置として、汎用のコンピュータを用いるものを示したが、発注側端末装置は、ネットワーク３を介してサーバー２にアクセスできるものであればよく、例えば携帯電話等を利用することも可能である。
【００５４】
また、本実施形態の発注支援システム１では、階段等の住宅構成物を構築するために必要とされる複数の構成部品９を管理するものを示したが、単一の構成部品を管理するシステムとして実現してもよい。この場合、構成部品の種類に関する判定が不要となることから、発注処理が一層簡略化される。
【００５５】
さらに、本実施形態の発注支援システム１では、設定された出荷寸法を発注側端末装置４に送信するものを示したが、発注側端末装置４に送信することなく、発注情報記憶部１８に記憶したり、製造側端末装置８に送信したりしてもよい。また、出荷寸法とともに、個々の構成部品９に関する価格を見積情報として発注側端末装置４に送信するようにしてもよい。
【００５６】
本実施形態の発注支援システム１では、ネットワーク３にメーカー７の製造側端末装置８を接続し、これに発注情報を送信するもの、すなわち製造側端末装置８を基に出荷管理を行うものを示したが、製造側端末装置８を設けることなく、サーバー２を基に出荷管理を行うようにしてもよい。
【図面の簡単な説明】
【００５７】
【図１】本発明の一実施形態である発注支援システムの構成を示す説明図である。
【図２】発注支援システムにおけるサーバーの機能的構成を示すブロック図である。
【図３】発注支援システムにおける発注側端末装置の機能的構成を示すブロック図である。
【図４】サーバーにおける処理の流れを示すフローチャートである。
【符号の説明】
【００５８】
１  発注支援システム
２  サーバー
３  ネットワーク（通信ネットワーク）
４  発注側端末装置
９  構成部品
１５  加工代データベース（加工代記憶手段）
１６  標準寸法データベース（標準寸法記憶手段）
１７  許容範囲記憶部（許容範囲記憶手段）
２１  必要寸法算出手段
２３  出荷寸法設定手段
２５  通知手段
【図１】
2005122627.tif 000003
【図２】
2005122627.tif 000004
【図３】
2005122627.tif 000005
【図４】
2005122627.tif 000006